【手続補正書】
【提出日】平成25年9月11日(2013.9.11)
【手続補正１】
【補正対象書類名】特許請求の範囲
【補正対象項目名】全文
【補正方法】変更
【補正の内容】
【特許請求の範囲】
【請求項１】
上面、ソール、トウ側端部、シャフト接続部材に隣接するヒール側端部、打球面、および該打球面とは反対側の後面を含むボディと、
該上面に露出したインジケータであって、
ゴルフボールにアドレスする際にゴルファーに見えるように位置決めされ、かつ
該打球面またはその近傍において始まって該トウ側端部、および該打球面とは反対側の該後面への軌道をたどる、インジケータと
を含む、ゴルフクラブヘッド。
【請求項２】
インジケータがボディの上面と一体である、請求項1記載のゴルフクラブヘッド。
【請求項３】
インジケータが、打球面またはその近傍における第一の端部と、該打球面とは反対側の後面またはその近傍における第二の端部とを含む、請求項1記載のゴルフクラブヘッド。
【請求項４】
インジケータが、該インジケータの第一の端部において上面に配置される打球マークをさらに含み、該打球マークが、ゴルフボールを打つための打球面に沿った理想的な場所を示す、請求項3記載のゴルフクラブヘッド。
【請求項５】
インジケータの第二の端部がヒール側端部よりもトウ側端部のより近くに位置する、請求項3記載のゴルフクラブヘッド。
【請求項６】
インジケータの第一の端部が該インジケータの第二の端部よりも狭い、請求項3記載のゴルフクラブヘッド。
【請求項７】
インジケータが概して三角形であり、第一の端部が三角形の頂点であり、第二の端部が該三角形の底辺である、請求項6記載のゴルフクラブヘッド。
【請求項８】
上面が複数面であり、インジケータが、該上面の残りを構成する面を少なくとも部分的に横切る該上面の面に形成される、請求項2記載のゴルフクラブヘッド。
【請求項９】
インジケータの第一の端部が、シャフト接続部材またはその近傍において上面に位置する、請求項3記載のゴルフクラブヘッド。
【請求項１０】
インジケータの第二の端部が後面またはその近傍において少なくとも部分的にトウ側端部とヒール側端部との間に位置する、請求項9記載のゴルフクラブヘッド。
【請求項１１】
インジケータの第一の端部が該インジケータの第二の端部よりも狭い、請求項10記載のゴルフクラブヘッド。
【請求項１２】
インジケータが概して三角形であり、第一の端部が三角形の頂点であり、第二の端部が該三角形の底辺である、請求項11記載のゴルフクラブヘッド。
【請求項１３】
上面が複数面であり、インジケータが、該上面の残りを構成する面を少なくとも部分的に横切る該上面の面に形成される、請求項11記載のゴルフクラブヘッド。
【請求項１４】
インジケータの第一の端部が該インジケータの第二の端部よりも広い、請求項10記載のゴルフクラブヘッド。
【請求項１５】
インジケータが上面の隆起部に位置し、トウ側端部における該上面の陥凹部およびヒール側端部における該上面の陥凹部に隣接する、請求項14記載のゴルフクラブヘッド。
【請求項１６】
インジケータが上面の陥凹部に位置し、トウ側端部における該上面の隆起部およびヒール側端部における該上面の隆起部に隣接する、請求項11記載のゴルフクラブヘッド。
【請求項１７】
コーティングがインジケータに適用され、該コーティングが塗料、アップリケ、フィルムまたは接着剤の群より選択される、請求項1記載のゴルフクラブ。
【請求項１８】
上面、ソール、トウ側端部、シャフト接続部材に隣接するヒール側端部、打球面、および該打球面とは反対側の後面を含むボディと、
該上面において該ボディと一体であり、ゴルフボールにアドレスする際にゴルファーに見え、該ボディの該上面の残りの部分と視覚的、知覚的に異なるインジケータであって、
該インジケータが、該打球面またはその近傍において始まって該トウ側端部、および該打球面とは反対側の該後面への軌道をたどり、
該インジケータが、該上面の残りを構成する面を少なくとも部分的に横切る該上面の面に形成され、
該インジケータの面が、該ヒール側端部から該トウ側端部に向かって上方に傾斜し、かつ
該インジケータが、該打球面またはその近傍において該上面に配置される打球マークを含む、インジケータと
を含む、ゴルフクラブヘッド。
【請求項１９】
上面、ソール、トウ側端部、シャフト接続部材に隣接するヒール側端部、打球面、および該打球面とは反対側の後面を含むボディと、
該上面において該ボディと一体であり、ゴルフボールにアドレスする際にゴルファーに見え、該ボディの該上面の残りの部分と視覚的、知覚的に異なるインジケータであって、
該インジケータが、該シャフト接続部材近傍の該打球面またはその近傍において始まって該トウ側端部、および該打球面とは反対側の該後面への軌道をたどり、
該インジケータが、該上面の残りを構成する面を少なくとも部分的に横切る該上面の面に形成され、かつ
該インジケータの面が、該トウ側端部から該ヒール側端部に向かって上方に傾斜する、インジケータと
を含む、ゴルフクラブヘッド。
【請求項２０】
上面、ソール、トウ側端部、シャフト接続部材に隣接するヒール側端部、打球面、および該打球面とは反対側の後面を含むボディと、
該上面において該ボディと一体であり、ゴルフボールにアドレスする際にゴルファーに見え、該ボディの該上面の残りの部分と視覚的、知覚的に異なるインジケータであって、該打球面またはその近傍において始まって該トウ側端部、および該打球面とは反対側の該後面への軌道をたどる、インジケータと
を含む、ゴルフクラブヘッド。
【請求項２１】
上面、ソール、トウ側端部、シャフト接続部材に隣接するヒール側端部、打球面、および該打球面とは反対側の後面を含むボディと、
該上面において該ボディと一体であり、ゴルフボールにアドレスする際にゴルファーに見え、該ボディの該上面の残りの部分と視覚的、知覚的に異なるインジケータであって、
該打球面またはその近傍において始まって該トウ側端部、および該打球面とは反対側の該後面への軌道をたどり、かつ
該ヒール側端部における隣接する該上面の陥凹部と該トウ側端部における隣接する該上面の陥凹部とによって画定される該上面の部分に位置する、インジケータと
を含む、ゴルフクラブヘッド。
【請求項２２】
上面、ソール、トウ側端部、シャフト接続部材に隣接するヒール側端部、打球面、および該打球面とは反対側の後面を含むボディと、
該上面において該ボディと一体であり、ゴルフボールにアドレスする際にゴルファーに見え、該ボディの該上面の残りの部分と視覚的、知覚的に異なるインジケータであって、
該打球面またはその近傍において始まって該トウ側端部、および該打球面とは反対側の該後面への軌道をたどり、かつ
該ヒール側端部における隣接する該上面の隆起部と該トウ側端部における隣接する該上面の隆起部とによって画定される該上面の部分に位置する、インジケータと
を含む、ゴルフクラブヘッド。
【手続補正２】
【補正対象書類名】明細書
【補正対象項目名】０００７
【補正方法】変更
【補正の内容】
【０００７】
本発明のなおさらなる例にしたがって、ゴルフクラブヘッドの外周形状を改変するように視覚的スイングインジケータをゴルフクラブヘッドと一体に形成することができる。また、一体に形成された視覚的スイングインジケータは、ゴルファーによる視覚的参照を容易にし、かつ視覚的インジケータが作り出す可視的印象をさらに強化する、三次元特性を示す。
[本発明1001]
上面、ソール、トウ側端部、シャフト接続部材に隣接するヒール側端部、打球面、および該打球面とは反対側の後面を含むボディと、
該上面に露出したインジケータであって、
ゴルフボールにアドレスする際にゴルファーに見えるように位置決めされ、かつ
該打球面またはその近傍において始まって該トウ側端部、および該打球面とは反対側の該後面への軌道をたどる、インジケータと
を含む、ゴルフクラブヘッド。
[本発明1002]
インジケータがボディの上面と一体である、本発明1001のゴルフクラブヘッド。
[本発明1003]
インジケータが、打球面またはその近傍における第一の端部と、該打球面とは反対側の後面またはその近傍における第二の端部とを含む、本発明1001のゴルフクラブヘッド。
[本発明1004]
インジケータが、該インジケータの第一の端部において上面に配置される打球マークをさらに含み、該打球マークが、ゴルフボールを打つための打球面に沿った理想的な場所を示す、本発明1003のゴルフクラブヘッド。
[本発明1005]
インジケータの第二の端部がヒール側端部よりもトウ側端部のより近くに位置する、本発明1003のゴルフクラブヘッド。
[本発明1006]
インジケータの第一の端部が該インジケータの第二の端部よりも狭い、本発明1003のゴルフクラブヘッド。
[本発明1007]
インジケータが概して三角形であり、第一の端部が三角形の頂点であり、第二の端部が該三角形の底辺である、本発明1006のゴルフクラブヘッド。
[本発明1008]
上面が複数面であり、インジケータが、該上面の残りを構成する面を少なくとも部分的に横切る該上面の面に形成される、本発明1002のゴルフクラブヘッド。
[本発明1009]
インジケータの第一の端部が、シャフト接続部材またはその近傍において上面に位置する、本発明1003のゴルフクラブヘッド。
[本発明1010]
インジケータの第二の端部が後面またはその近傍において少なくとも部分的にトウ側端部とヒール側端部との間に位置する、本発明1009のゴルフクラブヘッド。
[本発明1011]
インジケータの第一の端部が該インジケータの第二の端部よりも狭い、本発明1010のゴルフクラブヘッド。
[本発明1012]
インジケータが概して三角形であり、第一の端部が三角形の頂点であり、第二の端部が該三角形の底辺である、本発明1011のゴルフクラブヘッド。
[本発明1013]
上面が複数面であり、インジケータが、該上面の残りを構成する面を少なくとも部分的に横切る該上面の面に形成される、本発明1011のゴルフクラブヘッド。
[本発明1014]
インジケータの第一の端部が該インジケータの第二の端部よりも広い、本発明1011のゴルフクラブヘッド。
[本発明1015]
インジケータが上面の隆起部に位置し、トウ側端部における該上面の陥凹部およびヒール側端部における該上面の陥凹部に隣接する、本発明1014のゴルフクラブヘッド。
[本発明1016]
インジケータが上面の陥凹部に位置し、トウ側端部における該上面の隆起部およびヒール側端部における該上面の隆起部に隣接する、本発明1011のゴルフクラブヘッド。
[本発明1017]
コーティングがインジケータに適用され、該コーティングが塗料、アップリケ、フィルムまたは接着剤の群より選択される、本発明1001のゴルフクラブ。
[本発明1018]
上面、ソール、トウ側端部、シャフト接続部材に隣接するヒール側端部、打球面、および該打球面とは反対側の後面を含むボディと、
該上面において該ボディと一体であり、ゴルフボールにアドレスする際にゴルファーに見え、該ボディの該上面の残りの部分と視覚的、知覚的に異なるインジケータであって、該打球面またはその近傍において始まって該トウ側端部、および該打球面とは反対側の該後面への軌道をたどる、インジケータと
を含む、ゴルフクラブヘッド。
[本発明1019]
上面、ソール、トウ側端部、シャフト接続部材に隣接するヒール側端部、打球面、および該打球面とは反対側の後面を含むボディと、
該上面において該ボディと一体であり、ゴルフボールにアドレスする際にゴルファーに見え、該ボディの該上面の残りの部分と視覚的、知覚的に異なるインジケータであって、
該インジケータが、該打球面またはその近傍において始まって該トウ側端部、および該打球面とは反対側の該後面への軌道をたどり、
該インジケータが、該上面の残りを構成する面を少なくとも部分的に横切る該上面の面に形成され、
該インジケータの面が、該ヒール側端部から該トウ側端部に向かって上方に傾斜し、かつ
該インジケータが、該打球面またはその近傍において該上面に配置される打球マークを含む、インジケータと
を含む、ゴルフクラブヘッド。
[本発明1020]
上面、ソール、トウ側端部、シャフト接続部材に隣接するヒール側端部、打球面、および該打球面とは反対側の後面を含むボディと、
該上面において該ボディと一体であり、ゴルフボールにアドレスする際にゴルファーに見え、該ボディの該上面の残りの部分と視覚的、知覚的に異なるインジケータであって、
該インジケータが、該シャフト接続部材近傍の該打球面またはその近傍において始まって該トウ側端部、および該打球面とは反対側の該後面への軌道をたどり、
該インジケータが、該上面の残りを構成する面を少なくとも部分的に横切る該上面の面に形成され、かつ
該インジケータの面が、該トウ側端部から該ヒール側端部に向かって上方に傾斜する、インジケータと
を含む、ゴルフクラブヘッド。
[本発明1021]
上面、ソール、トウ側端部、シャフト接続部材に隣接するヒール側端部、打球面、および該打球面とは反対側の後面を含むボディと、
該上面において該ボディと一体であり、ゴルフボールにアドレスする際にゴルファーに見え、該ボディの該上面の残りの部分と視覚的、知覚的に異なるインジケータであって、
該打球面またはその近傍において始まって該トウ側端部、および該打球面とは反対側の該後面への軌道をたどり、かつ
該ヒール側端部における隣接する該上面の陥凹部と該トウ側端部における隣接する該上面の陥凹部とによって画定される該上面の部分に位置する、インジケータと
を含む、ゴルフクラブヘッド。
[本発明1022]
上面、ソール、トウ側端部、シャフト接続部材に隣接するヒール側端部、打球面、および該打球面とは反対側の後面を含むボディと、
該上面において該ボディと一体であり、ゴルフボールにアドレスする際にゴルファーに見え、該ボディの該上面の残りの部分と視覚的、知覚的に異なるインジケータであって、
該打球面またはその近傍において始まって該トウ側端部、および該打球面とは反対側の該後面への軌道をたどり、かつ
該ヒール側端部における隣接する該上面の隆起部と該トウ側端部における隣接する該上面の隆起部とによって画定される該上面の部分に位置する、インジケータと
を含む、ゴルフクラブヘッド。